(57)【特許請求の範囲】
【請求項１】
通信を行う無線部、表示部と操作部を照明する照明回路、内蔵の二次電池の充電を制御する充電制御回路、及び前記二次電池を充電するためのＡＣアダプタが接続される外部接続端子を備えた移動電話装置において、
前記二次電池の充電に最適な直流出力電圧を第１の出力電圧として設定し、
前記第１の出力電圧より低く、かつ前記二次電池の充電が可能な直流出力電圧を第２の出力電圧として設定し、
前記照明回路が常時点灯に設定され、或いは前記無線部が送信状態になったことを検出したときに、前記ＡＣアダプタの出力電圧を前記第１の出力電圧から前記第２の出力電圧に切り替えるための切替信号を出力する制御部を備えることを特徴とする移動電話装置。
【請求項２】
前記制御部は、前記切替信号を前記外部接続端子に出力することを特徴とする請求項１記載の移動電話装置。
【請求項３】
二次電池を電源とし、無線部または照明回路を前記二次電池に充電中に動作させることが可能な移動電話装置に接続され、ＡＣ／ＤＣ変換部により生成した直流出力電圧により前記二次電池を充電するＡＣアダプタにおいて、
前記二次電池の充電に最適な直流出力電圧を第１の出力電圧として設定し、
前記第１の出力電圧より低く、かつ前記二次電池の充電が可能な直流出力電圧を第２の出力電圧として設定し、
前記照明回路が常時点灯に設定され、或いは前記無線部が送信状態になったときに前記移動電話装置から出力される切替信号を受けたことをもって、前記直流出力電圧を前記第１の出力電圧から前記第２の出力電圧に切り替えるように制御する直流出力制御回路を有することを特徴とするＡＣアダプタ。
【請求項４】
二次電池を電源とし、無線部または照明回路を充電中に動作させることが可能な移動電話装置に接続され、ＡＣ／ＤＣ変換部により生成した直流出力電圧により前記二次電池を充電するＡＣアダプタにおいて、
前記ＡＣ／ＤＣ変換部の出力電流の状態を検出する電流検出回路と、
前記電流検出回路による電流検出値に応じて前記ＡＣ／ＤＣ変換部の出力電圧を制御する直流出力制御回路を備え、
前記直流出力制御回路は、前記電流検出回路が前記無線部または前記照明回路の動作時に相当する電流値を検出しないときには前記二次電池の充電に最適な直流出力電圧を第１の出力電圧として設定し、
前記電流検出回路が前記無線部または前記照明回路の動作時に相当する電流値を検出したときには前記第１の出力電圧より低く、かつ前記二次電池の充電が可能な直流出力電圧を第２の出力電圧として設定することを特徴とするＡＣアダプタ。
【発明の詳細な説明】
【０００１】
【発明の属する技術分野】
本発明は、移動電話装置及びそのＡＣアダプタに関し、特に、移動電話装置と充電用ＡＣアダプタとの接続時に、照明回路や無線部が動作しても移動電話装置の充電制御回路が筐体を通して体感するほどの発熱にならないようにする移動電話装置及びそのＡＣアダプタに関する。
【０００２】
【従来の技術】
携帯電話機やＰＨＳ(Personal Handyphone System)などの移動電話装置においては、屋内で使用するときや、容量不足になった内蔵電池（二次電池）を充電するときには、充電用ＡＣアダプタ（以下、ＡＣアダプタという）を接続することができるように構成されている。また、殆どの移動電話装置においては、表示部及び操作部（キー類）を照明するためのバックライト、及びこのバックライトを駆動するための照明回路を備えている。そして、ＡＣアダプタによる充電中には、使用者により、操作部や表示部の照明が常時点灯されるように設定できる機種もある。
【０００３】
図３は、バックライト及び照明回路を備えた携帯電話装置の一例を示す。
携帯電話装置３００は、装置本体に伸縮自在に取り付けられたアンテナ３０１、このアンテナ３０１に接続された無線部３０２、この無線部３０２に接続された変復調部３０３、この変復調部３０３に接続された音声処理部３０４、この音声処理部３０４に接続されたスピーカ３０５、音声処理部３０４に接続されたマイク３０６、無線部３０２〜音声処理部３０４を制御する制御部３０７、この制御部３０７に接続された表示部３０８、制御部３０７に接続された操作部３０９、制御部３０７、表示部３０８及び操作部３０９の近傍に設置されたバックライト３１０ａ及び３１０ｂ、これらバックライトを駆動する照明回路３１０、各回路部へ電源を供給する電池３１１（リチウムイオン電池等の二次電池）、ＡＣアダプタ（図示せず）が接続されたときに電池３１１を充電する充電制御回路３１２を備えて構成されている。
【０００４】
図３の構成における動作を説明すると、アンテナ３０１により受信した電波は、無線部３０２で増幅・周波数変換された後、変復調部３０３で復調される。さらに、復調出力は、音声処理部３０４で音声信号に復号された後、スピーカ３０５から音声として出力される。一方、送話時には、話者（使用者）の音声がマイク３０６によって電気信号に変換され、音声処理部３０４で処理された後、変復調部３０３で変調が行われ、無線部３０２により周波数変換・電力増幅が行われた後、電波としてアンテナ３０１から送信される。
【０００５】
制御部３０７は、操作部３０９の操作内容に従って無線チャンネルの制御、受信データの処理、音声処理部３０４の制御、表示部３０８に表示情報を出力する制御、照明回路３１０のオン／オフ制御等を実行する。照明回路３１０は、表示部３０８及び操作部３０９を照明するバックライト３１０ａ，３１０ｂを駆動する。バックライト３１０ａ，３１０ｂは、電源オン等のときに一時的に自動点灯するほか、使用者（ユーザー）が暗い場所で携帯電話を操作するときなど、操作部３０９を操作することにより点灯する。しかし、照明回路３１０を常時点灯させておくと、電池３１１の消耗が早くなる。そこで、電池駆動の場合には、使用者が点灯を要求したときにのみ一時的に点灯を行い、常時点灯は行えないように設計されている。この制御は、制御部３０７により実行される。
【０００６】
一方、ＡＣアダプタを接続している場合には、ＡＣアダプタによって電池が充電され、また、ＡＣアダプタからの一部の電力を照明回路３１０及びバックライト３１０ａ，３１０ｂに回すことができるので、使用者が操作部３０９によって照明を常時点灯させる設定を行うことにより、表示部３０８を常時点灯状態にすることができる。
【０００７】
図４は、従来の移動電話装置及びそのＡＣアダプタを示す。以下においては、移動電話装置として携帯電話装置（携帯電話機）について説明する。
ＡＣアダプタ４００及び電池３１１を内蔵した電池パック３１３の接続部の回路構成を示す。携帯電話装置３００は、外部接続端子３２０（ＤＣ出力端子３２０ａ及びＧＮＤ端子３２０ｂからなる）及び電池接続端子３３０（＋端子３３０ａ、電圧検出端子３３０ｂ、及び−端子３３０ｃからなる）を備えている。外部接続端子３２０には、商用電源（ＡＣ１００Ｖ）４１０から電源供給を受けるＡＣアダプタ４００が接続され、電池接続端子３３０には電池パック３１３が接続されている。ＡＣアダプタ４００はＡＣ／ＤＣ変換部４０１を備え、商用電源４１０から充電に適した低い直流電圧を生成する。電池パック３１３は、電池３１１と、その＋端子に接続された抵抗３１４を備えている。携帯電話装置３００においては、充電制御回路３１２と電池接続端子３３０の＋端子３３０ａの間に、ダイオード３１５が接続されている。このダイオード３１５は、電池３１１から充電制御回路３１２へ電流が逆流するのを防止する役割をもっている。また、電圧検出端子３３０ｂの電圧は、充電制御回路３１２に印加される。
【０００８】
図４の構成において、ＡＣアダプタ４００が接続されているとき、充電制御回路３１２は、抵抗３１４及び電圧検出端子３３０ｂを介して電池３１１の電圧をモニタしている。充電制御回路３１２は、ダイオード３１５を介して電池３１１を充電中、その電圧が４．２Ｖ（電池３１１がリチウムイオン電池の場合）になるようにダイオード３１５に流れる電流を制御し、予め設定された充電電流になった時点で充電を完了する。
【０００９】
充電中、表示部３０８や操作部３０９の照明を常時点灯させるように使用者が設定した場合や、充電しながら通話やデータ通信を行った場合、ＤＣ出力端子３２０ａから行われるが、充電の初期の時点では、ＡＣアダプタ４００から供給された電流が、無線部３０２、照明回路３１０及びバックライト３１０ａ，３１０ｂの駆動に回される。このため、充電制御回路３１２には、電池３１１の充電用電流と、無線部３０２、照明回路３１０、及びバックライト３１０ａ，３１０ｂに流れる電流を合計した電流が流れる。また、充電終期では、電池３１１からの供給分が増え、充電制御回路３１２からの供給分は減少する。
【００１０】
また、図３に示したような構成において、車載充電器を接続して使用するとき、上記したように、表示部３０８及び操作部３０９の照明により消費電流が増えると、電池３１１の充電時間が長くなる問題を解決する発明として特開平１１−２８４５６０号公報がある。その手段として、車載充電器に照明専用の電源を設け、照明時には切換スイッチにより前記照明専用の電源を選択し、照明用の電流が充電制御回路３１２に影響を与えないように、照明の消灯時と同一の充電時間になるようにしている。
【００１１】
【発明が解決しようとする課題】
しかし、従来の移動電話装置及びそのＡＣアダプタによると、図４の構成の場合、表示部３０８や操作部３０９の照明を常時点灯させるように使用者が設定した場合や、充電しながら通話やデータ通信を行った場合は、充電だけの場合に比べて充電制御回路３１２に流れる電流が多くなるため、充電制御回路３１２の発熱量が多くなり、この熱が筐体に伝わり、さらに使用者の手に伝わるため、使用者に不快感を与えることがあった。
【００１２】
また、特開平１１−２８４５６０号公報によると、照明用の電流が充電制御回路３１２に流れないため、充電制御回路３１２における発熱量は多くならないが、照明専用の電源部を車載充電器に設ける必要があるほか、電池３１１の充電も並行して行われるため、充電器が大型化する。さらに、回路も複雑化し、コストアップになる。
【００１３】
したがって、本発明の目的は、表示部や操作部の常時点灯を行い、或いは充電しながら通話やデータ通信を行っても、充電制御回路の発熱を抑制できるようにした移動電話装置及びそのＡＣアダプタを提供することにある。
【００１４】
【課題を解決するための手段】
本発明は、上記の目的を達成するため、第１の特徴として、通信を行う無線部、表示部と操作部を照明する照明回路、内蔵の二次電池の充電を制御する充電制御回路、及び前記二次電池を充電するためのＡＣアダプタが接続される外部接続端子を備えた移動電話装置において、前記二次電池の充電に最適な直流出力電圧を第１の出力電圧として設定し、前記第１の出力電圧より低く、かつ前記二次電池の充電が可能な直流出力電圧を第２の出力電圧として設定し、前記照明回路が常時点灯に設定され、或いは前記無線部が送信状態になったことを検出したときに、前記ＡＣアダプタの出力電圧を前記第１の出力電圧から前記第２の出力電圧に切り替えるための切替信号を出力する制御部を備えることを特徴とする移動電話装置を提供する。
【００１５】
この構成によれば、制御部は、照明回路が常時点灯に設定され、或いは無線部が送信状態になったことを検出すると、充電制御回路を通る電流が増大したとみなしてＡＣアダプタの出力電圧を低下させるための切替信号を出力する。この切替信号を用いて、ＡＣアダプタは、移動電話装置内の充電制御回路を通る電流が減少するように出力電圧を低くすることができる。したがって、表示部や操作部の常時点灯や、充電しながら通話やデータ通信を行っても、充電制御回路の発熱量を低くすることができるため、使用者に不快感を与えることがなくなる。
【００１６】
本発明は、上記の目的を達成するため、第２の特徴として、二次電池を電源とし、無線部または照明回路を前記二次電池に充電中に動作させることが可能な移動電話装置に接続され、ＡＣ／ＤＣ変換部により生成した直流出力電圧により前記二次電池を充電するＡＣアダプタにおいて、前記二次電池の充電に最適な直流出力電圧を第１の出力電圧として設定し、前記第１の出力電圧より低く、かつ前記二次電池の充電が可能な直流出力電圧を第２の出力電圧として設定し、前記照明回路が常時点灯に設定され、或いは前記無線部が送信状態になったときに前記移動電話装置から出力される切替信号を受けたことをもって、前記直流出力電圧を前記第１の出力電圧から前記第２の出力電圧に切り替えるように制御する直流出力制御回路を有することを特徴とするＡＣアダプタを提供する。
【００１７】
この構成によれば、照明回路が常時点灯に設定され、或いは無線部が送信状態になったときに移動電話装置から切替信号が発せられると、直流出力制御回路は、その直流出力電圧を低くする。これにより、表示部や操作部の常時点灯や、充電しながら通話やデータ通信を行ったために増大する充電制御回路の消費電流は減少し、充電制御回路の発熱が増大するのを防止することができるため、使用者に不快感を与えることがなくなる。
【００１８】
本発明は、上記の目的を達成するため、第３の特徴として、二次電池を電源とし、無線部または照明回路を充電中に動作させることが可能な移動電話装置に接続され、ＡＣ／ＤＣ変換部により生成した直流出力電圧により前記二次電池を充電するＡＣアダプタにおいて、前記ＡＣ／ＤＣ変換部の出力電流の状態を検出する電流検出回路と、前記電流検出回路による電流検出値に応じて前記ＡＣ／ＤＣ変換部の出力電圧を制御する直流出力制御回路を備え、前記直流出力制御回路は、前記電流検出回路が前記無線部または前記照明回路の動作時に相当する電流値を検出しないときには前記二次電池の充電に最適な直流出力電圧を第１の出力電圧として設定し、前記電流検出回路が前記無線部または前記照明回路の動作時に相当する電流値を検出したときには前記第１の出力電圧より低く、かつ前記二次電池の充電が可能な直流出力電圧を第２の出力電圧として設定することを特徴とするＡＣアダプタを提供する。
【００１９】
この構成によれば、移動電話装置にＡＣアダプタが接続されているとき、その出力電流が電流検出回路によって監視され、前記出力電流が所定値を越えたことを検出すると、これに応じて、直流出力制御回路はＡＣ／ＤＣ変換部の直流出力電圧を制御し、前記出力電流が減少するようにする。したがって、移動電話装置が、表示部や操作部の常時点灯や、充電しながら通話やデータ通信を行ったために増大する充電制御回路の消費電流は減少し、移動電話装置内の充電制御回路の発熱が増大するのを防止することができるため、使用者に不快感を与えることがなくなる。
【００２０】
【発明の実施の形態】
以下、本発明の実施の形態について図面を基に説明する。
〔第１の実施の形態〕
図１は、本発明による移動電話装置及びそのＡＣアダプタの第１の実施の形態を示す。図１においては本発明に関する部分のみを示している。携帯電話装置１００の全体構成は、制御部の機能が増えたのみで他の構成は図３の携帯電話装置３００と同一である。したがって、以下においては全体構成の図示及び説明を省略する。
外部接続端子１０２には、切替制御端子１０２ａ、ＤＣ出力端子１０２ｂ、及びＧＮＤ端子１０２ｃが設けられている。外部接続端子１０２に接続されるＡＣアダプタ１５０は、図４に示したＡＣ／ＤＣ変換部４０１と、ＤＣ出力制御回路１５１を備えて構成されている。
【００２１】
図１の構成において、充電用ＡＣアダプタ１５０が接続され、充電が行われているとき、充電制御回路３１２は電圧検出端子３３０ｂの電圧をモニタしている。電池３１１がリチウムイオン電池の場合、印可される電圧が４．２Ｖとなるように＋端子３３０ａに流れる電流を制御し、予め設定された充電電流になった時点で充電を完了する。
充電中、携帯電話装置１００の電源が入っていない場合や待ち受け動作を行っている場合、無線部の消費電流は微少であるため、充電時に充電制御回路３１２に流れる電流は電池３１１の充電電流にほぼ等しい。一方、充電中に照明回路３１０及びバックライト３１０ａ，３１０ｂが動作している場合や、通話やデータ通信を行っている場合には、充電制御回路３１２には充電電流以外に照明回路３１０、バックライト３１０ａ，３１０ｂ、或いは無線部３０２で消費される電流も流れる。
【００２２】
制御部３０７は、ＡＣアダプタ１５０から充電制御回路３１２に直流電圧が印可されたことを検出すると、バックライト３１０ａ，３１０ｂによる照明を常時点灯させる設定（使用者による）が可能になる。一方、携帯電話装置１００の外部接続端子１０２にＡＣアダプタ１５０が接続されていない場合、照明を常時点灯するための設定は行えない。
照明回路３１０が常時点灯の設定になり、或いは通話動作等に入り無線部３０２が通信状態にあることを制御部３０７が検出すると、切替制御端子１０２ａに切替信号１０１ａを出力する。この切替信号１０１ａは、ＡＣアダプタ１５０に取り込まれ、ＤＣ出力制御回路１５１に入力される。ＤＣ出力制御回路１５１は、切替信号１０１ａによりＡＣ／ＤＣ変換部４０１から出力される直流電圧を変化させる。具体的には、充電中に照明回路３１０が常時点灯の設定になっておらず、しかも通話動作等によって無線部３０２に比較的大きな電流が流れていない場合には、ＡＣアダプタ１５０の出力電圧を例えば５．８Ｖ（この時のＡＣアダプタ１５０の出力電圧をＶ１とする）に設定する。この値は、リチウムイオン電池の充電電圧（４．２Ｖ）に合わせて適切な値に設定する。
【００２３】
次に、充電中に照明回路３１０が常時点灯の設定にされ、或いは通話動作等によって無線部３０２に比較的大きな電流が流れた場合、ＡＣアダプタ１５０の出力電圧を５．８Ｖ（Ｖ１）より低い電圧、例えば５．２Ｖ（この時のＡＣアダプタ１５０の出力電圧をＶ２とする）に切り換える。Ｖ２を低くすることにより、充電制御回路３１２における電圧降下が小さくなり、充電制御回路３１２で発生する発熱を抑えることができる。
ＡＣアダプタ１５０の出力電圧を５．２Ｖにしたときの充電電圧は、リチウムイオン電池が必要とする４．２Ｖよりも若干低下するため、充電が完了するまでの時間が若干長くなることが想定される。しかし、充電中に照明を常時点灯させたり通話を行った場合、充電時間が長くなるのは従来の携帯電話装置でも同様であるため、大きな問題にはならない。ただし、Ｖ２を低く設定しすぎると、リチウムイオン電池に印可される電圧が４．２Ｖよりも更に低下するため、充電完了までの時間が長くなりすぎてしまう。したがって、Ｖ２は充電制御回路３１２での発熱を抑えつつ、かつ充電時間が長くなりすぎない範囲で適切に設定することが必要である。
【００２４】
上述した範囲にＶ２を設定することにより、充電時に照明を常時点灯させる設定を行ったり、通話状態のまま充電を行ったりしても、充電制御回路３１２における発熱が抑えられるため、携帯電話装置１００の温度上昇を小さくすることが可能になる。また、充電時間の延長についても、最小限に抑えることが可能になる。
【００２５】
〔第２の実施の形態〕
次に、第２の実施の形態について説明する。
図２は本発明の第２の実施の形態を示す。
本実施の形態は、図４に示した携帯電話装置３００及び電池パック３１３をそのまま用いているが、ＡＣアダプタ２００の構成が図１及び図４とは異なっている。つまり、携帯電話装置３００は、従来のままでＡＣアダプタ２００のみを本発明に対応させるようにしたものであり、これにより、在来の携帯電話装置３００を用いながら、ＡＣアダプタを新規にするのみで、携帯電話装置３００内の充電制御回路３１２の温度上昇を防止できるようになり、使用者に不快感を与えるのを無くすことができるようになる。
ＡＣアダプタ２００は、図４に示したＡＣ／ＤＣ変換部４０１、このＡＣ／ＤＣ変換部４０１の出力電流を検出する電流検出回路２０１、及び、電流検出回路２０１の検出結果に基づいてＡＣ／ＤＣ変換部４０１の出力電圧を変更するＤＣ出力制御回路２０２を備えて構成されている。
【００２６】
図２の構成においては、通常の充電時の電流値を予めＤＣ出力制御回路２０２に設定しておき、通常の充電時は直流出力電圧をＶ１（＝５．８Ｖ）に設定する。さらに、照明点灯時や通話動作時に充電電流が増加した場合には、直流出力電圧をＶ１より低いＶ２（＝５．２Ｖ）に設定する。これにより、充電制御回路３１２における発熱を抑えることができ、携帯電話装置３００の温度上昇が低くなり、使用者に不快感を与えるのをなくすことができる。
【００２７】
【発明の効果】
以上より明らかなように、本発明の移動電話装置によれば、照明回路が常時点灯に設定され或いは無線部が送信状態になって、充電制御回路を通る電流が増大したことを検出したとき、ＡＣアダプタの出力電圧を低くするための切替信号を出力する制御部を設ける構成にしたので、表示部や操作部の常時点灯や、充電しながら通話やデータ通信を行っても、充電制御回路の発熱量を低くすることができ、使用者に不快感を与えることがなくなる。
【００２８】
また、本発明のＡＣアダプタによれば、照明回路が常時点灯に設定され、或いは無線部が送信状態になったときに移動電話装置から切替信号が発せられると、その直流出力電圧を低くする直流出力制御回路を設けたので、移動電話装置の充電制御回路の消費電流が増大する状態が生じても、充電制御回路に流れる電流は減少し、充電制御回路の発熱が増大するのを防止することができるため、使用者に不快感を与えることがなくなる。
【００２９】
更に、本発明の他のＡＣアダプタによれば、移動電話装置に接続されたＡＣアダプタの出力電流が電流検出回路によって監視され、その電流検出値に応じて直流出力制御回路によりＡＣ／ＤＣ変換部の出力電圧を制御、具体的には、ＡＣ／ＤＣ変換部の出力電流が所定値を越えるとＡＣ／ＤＣ変換部の直流出力電圧が下げられ、ＡＣアダプタの出力電流が減少するので、移動電話装置が、表示部や操作部の常時点灯や、充電しながら通話やデータ通信を行っても、充電制御回路の消費電流は減少し、移動電話装置内の充電制御回路の発熱が増大するのを防止でき、使用者に不快感を与えることがなくなる。
【図面の簡単な説明】
【図１】本発明による移動電話装置及びそのＡＣアダプタの第１の実施の形態を示すブロック図である。
【図２】本発明による移動電話装置及びそのＡＣアダプタの第２の実施の形態を示すブロック図である。
【図３】照明回路を備えた携帯電話装置の全体構成を示すブロック図である。
【図４】従来の移動電話装置及びそのＡＣアダプタを示すブロック図である。
【符号の説明】
１００，３００  携帯電話装置
１０１，３０７  制御部
１０２  外部接続端子
１０２ａ  切替制御端子
１０２ｂ  ＤＣ出力端子
１０２ｃ  ＧＮＤ端子
１５０  ＡＣアダプタ
１５１  ＤＣ出力制御回路
２０１  電流検出回路
２０２  ＤＣ出力制御回路
３０２  無線部
３０８  表示部
３０９  操作部
３１０  照明回路
３１０ａ，３１０ｂ  バックライト
３１１  電池
３１２  充電制御回路
３２０  外部接続端子
３２０ａ  ＤＣ出力端子
３２０ｂ  ＧＮＤ端子
３３０  電池接続端子
３３０ａ  ＋端子
３３０ｂ  電圧検出端子
３３０ｃ  −端子
４００  ＡＣアダプタ
４０１  ＡＣ／ＤＣ変換部
【図１】
0003721081.tif 000002
【図２】
0003721081.tif 000003
【図３】
0003721081.tif 000004
【図４】
0003721081.tif 000005